(57)【要約】【課題】間欠受信モードで無線リンクの異常検出処理を行なう。【解決手段】基地局装置５０と接続している間に連続受信動作または間欠受信動作を行なう移動局装置３０である。移動局装置３０は、Ｓｈｏｒｔ  ＤＲＸの場合は、受信ＯＮ期間のみ下りリンクの無線測定を行なう。一方、Ｌｏｎｇ  ＤＲＸの場合は、受信ＯＮ期間に測定した下りリンクの無線状態により、下りリンクの無線測定を受信ＯＮ期間の終了後にも継続する。また、移動局装置３０は、基地局装置５０から、受信動作を行なう受信ＯＮ期間、間欠受信動作を行なう間欠受信動作期間および他の基地局装置の無線リンク測定を行なう期間を指定する情報を受信する。この受信した情報に基づいて、間欠受信動作を行なうと共に、受信動作を行なわない受信ＯＦＦ期間内に接続していない他の基地局装置の無線リンク測定を行なう。【選択図】図１Ｃ
2010098581.tif 000002
【特許請求の範囲】
【請求項１】
基地局装置と接続している間に連続受信動作または間欠受信動作を行なう移動局装置であって、
特定の受信間隔で間欠受信動作を行なう場合には、連続受信動作を行なう場合とは異なる無線リンク測定を行なうことを特徴とする移動局装置。
【請求項２】
前記特定の受信間隔以外の受信間隔で間欠受信動作を行なう場合には、連続受信動作を行なう場合と同じ無線リンク測定を行なう一方、前記特定の受信間隔で間欠受信動作を行なう場合には、連続受信動作を行なう場合とは異なる無線リンク測定を行なうことを特徴とする請求項１記載の移動局装置。
【請求項３】
前記間欠受信動作の受信期間内に測定した無線リンク測定結果に基づいて、前記連続受信動作時とは異なる無線リンク測定を行なうことを特徴とする請求項１または請求項２記載の移動局装置。
【請求項４】
前記基地局装置から、受信動作を行なう受信ＯＮ期間、間欠受信動作を行なう間欠受信動作期間および他の基地局装置の無線リンク測定を行なう期間を指定する情報を受信し、前記受信した情報に基づいて、間欠受信動作を行なうと共に、受信動作を行なわない受信ＯＦＦ期間内に接続していない他の基地局装置の無線リンク測定を行なうことを特徴とする請求項１または請求項２記載の移動局装置。
【請求項５】
前記他の基地局装置の無線リンク測定を行なった後、連続的に接続中の基地局装置の無線リンク測定を行なうことを特徴とする請求項４記載の移動局装置。
【請求項６】
前記基地局装置から、受信動作を行なう受信ＯＮ期間および間欠受信動作を行なう間欠受信動作期間を指定する情報を受信し、前記受信した情報に基づいて間欠受信動作を行なうと共に、前記受信ＯＮ期間内に無線リンク測定を行なうことを特徴とする請求項１または請求項２記載の移動局装置。
【請求項７】
接続時に連続受信動作または間欠受信動作を行なう移動局装置を収容する基地局装置であって、
前記移動局装置が、間欠受信動作を行なう際に、受信動作を行なう受信ＯＮ期間と間欠受信動作を行なう間欠受信動作期間とを対応付けたテーブルを有し、前記テーブルから移動局装置毎に受信ＯＮ期間および間欠受信動作期間を選択し、選択した受信ＯＮ期間および間欠受信動作期間を指定する情報を移動局装置に通知することを特徴とする基地局装置。
【請求項８】
請求項１から請求項５のいずれかに記載の移動局装置と、基地局装置と、から構成されることを特徴とする移動通信システム。
【請求項９】
請求項６記載の移動局装置と、請求項７記載の基地局装置と、から構成されることを特徴とする移動通信システム。
【発明の詳細な説明】
【技術分野】
【０００１】
本発明は、上りの無線リンク接続処理を行なう移動局装置、基地局装置および移動通信システムに関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されようとしている。一方、３ＧＰＰでは、第三世代無線アクセスの進化（Evolved Universal Terrestrial Radio Access、以下、「ＥＵＴＲＡ」と呼称する。）が検討されている。ＥＵＴＲＡの下りリンクとして、ＯＦＤＭ（Orthogonal Frequency Division Multiplexing）方式が提案されている。また、ＥＵＴＲＡの上りリンクとして、ＤＦＴ（Discrete Fourier Transform）−Ｓｐｒｅａｄ  ＯＦＤＭ方式のシングルキャリア通信方式が提案されている。
【０００３】
図７は、移動通信システムのチャネル構成を示す図である。図７に示すように、ＥＵＴＲＡの下りリンクは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、共通制御チャネルＣＣＰＣＨ（Common Control Physical Channel）により構成されている。
【０００４】
また、図７に示すように、ＥＵＴＲＡの上りリンクは、上りリンクパイロットチャネルＵＰｉＣＨ（Uplink Pilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている（非特許文献１、２）。
【０００５】
図８および図９は、下りリンクの構成を示す図である。図８および図９に示すように、１リソースブロックは、１２本のサブキャリアと７つのＯＦＤＭシンボルから構成される。そして、２つのリソースブロックを使用して、最低１つの移動局装置に下りリンク共用チャネルＰＤＳＣＨの割り当てを行なう。この時、下りリンク制御チャネルＰＤＣＣＨは、１ＴＴＩの中で１〜３シンボル目を使用し、下りリンク共用チャネルＰＤＳＣＨは、残りのＯＦＤＭシンボルを使用する。また、下りリンクパイロットチャネルＤＰｉＣＨは、図８に示すように１ＴＴＩの中でＳｃａｔｔｅｒｅｄ（スキャッタード）形式で配置される。なお、図８は、基地局装置の送信アンテナが２本の場合の例であり、２種類のパイロットシンボルが存在する例である。複数のリソースブロックから下りリンクが構成される。
【０００６】
図１０は、間欠受信動作の一例を示す図である。図１０に示すように、下りリンク共用チャネルＰＤＳＣＨ受信には、連続受信モードと間欠受信（ＤＲＸ：Discontinuous Reception）モードがある。間欠受信は、移動局装置の消費電力を抑えるために導入している。間欠受信モードは、基地局装置から移動局装置に間欠受信間隔等（受信ＯＮ間隔やＤＲＸ間隔）のパラメータが指定され、連続受信モードから間欠受信モードに移行する。
【０００７】
間欠受信モードに入ると、移動局装置は、基地局装置から指定された受信間隔の間の下りリンク制御チャネルＰＤＣＣＨをモニタする。そして、下りリンク制御チャネルＰＤＣＣＨに下りリンク共用チャネルＰＤＳＣＨの割り当てがあった場合、受信ＯＮ期間を延ばして、下りリンク共用チャネルＰＤＳＣＨのデータを受信する。
【０００８】
また、間欠受信モードには、Ｓｈｏｒｔ  ＤＲＸとＬｏｎｇ  ＤＲＸがあり、最初にＳｈｏｒｔ  ＤＲＸから間欠受信モードに入る。そして、ある一定期間に下りリンク共用チャネルＰＤＳＣＨの割り当てがされない場合にＳｈｏｒｔ  ＤＲＸからＬｏｎｇ  ＤＲＸに移行する。なお、Ｓｈｏｒｔ  ＤＲＸ間隔は、２ｍｓ〜２５６ｍｓの間隔があり、Ｌｏｎｇ  ＤＲＸ間隔は１０ｍｓ〜２５６０ｍｓの間隔がある。それぞれ、基地局装置から指定される。
【０００９】
図１１は、上りリンクのチャネル構成を示す図である。図１１に示すように、上りリンクも下りリンク同様に１リソースブロックは、１２本のサブキャリアと７つのシンボルから構成される。そして、２つのリソースブロックを使用して、最低１つの移動局装置に上りリンク共用チャネルＰＵＳＣＨの割り当てを行なう。また、ランダムアクセスチャネルＲＡＣＨは、６リソースブロックを１ランダムアクセスチャネルとして使用し、複数のランダムアクセスチャネルＲＡＣＨを用意して、多数の移動局装置からのアクセスに対応することになっている。
【００１０】
ランダムアクセスチャネルＲＡＣＨの使用目的は、上りリンクにおいて基地局装置と同期していない移動局装置を同期させることを最大目的とし、無線リソースを割り当てるスケジューリングのリクエストなどの数ビットの情報も送信して、接続時間を短くすることも考えられている（非特許文献２）。
【００１１】
ランダムアクセスチャネルＲＡＣＨには、競合ベースランダムアクセス（Contention based Random Access）と非競合ベースランダムアクセス（Non-contention based Random Access）の２つのアクセス方法がある。Ｃｏｎｔｅｎｔｉｏｎ  ｂａｓｅｄ  Ｒａｎｄｏｍ  Ａｃｃｅｓｓは、移動局間で衝突する可能性のあるランダムアクセスであり、通常行なわれるランダムアクセスである。一方、Ｎｏｎ−ｃｏｎｔｅｎｔｉｏｎ  ｂａｓｅｄ  Ｒａｎｄｏｍ  Ａｃｃｅｓｓは、移動局間で衝突が発生しないランダムアクセスであり、迅速に移動局装置−基地局装置間の上りリンクの同期をとるためにハンドオーバー等の特別な場合に、基地局装置が主導して行なわれる。なお、基地局装置は、移動局装置にＮｏｎ−ｃｏｎｔｅｎｔｉｏｎ  ｂａｓｅｄ  Ｒａｎｄｏｍ  Ａｃｃｅｓｓを実行させることができない場合は、Ｃｏｎｔｅｎｔｉｏｎ  ｂａｓｅｄ  Ｒａｎｄｏｍ  Ａｃｃｅｓｓを移動局に実行させる場合もある。
【００１２】
ランダムアクセスチャネルＲＡＣＨでは、上りリンクの同期をとるためにランダムアクセスプリアンブルのみ送信する。ランダムアクセスプリアンブルには、情報を表す信号パターンが含まれ、数十種類のランダムアクセスプリアンブルを用意して数ビットの情報を表現することができる。現在では、６ビットの情報を送信することが想定され、６４種類のランダムアクセスプリアンブルが用意されることが想定されている。
【００１３】
６ビットの情報は、５ビットがランダムＩＤ、残りの１ビットが下りリンクのパスロス／ＣＱＩなどのような情報を割り当てるように想定されている（非特許文献３）。
【００１４】
図１２は、Ｃｏｎｔｅｎｔｉｏｎ  ｂａｓｅｄ  Ｒａｎｄｏｍ  Ａｃｃｅｓｓの手順の一例を示す図である。まず、移動局装置が、ランダムＩＤ、下りリンクのパスロス／ＣＱＩ情報などから、ランダムアクセスプリアンブルを選択し、ランダムアクセスチャネルＲＡＣＨでランダムアクセスプリアンブルを送信する（メッセージ１（ステップＳ１１））。
【００１５】
基地局装置は、移動局装置からのランダムアクセスプリアンブルを受信すると、ランダムアクセスプリアンブルから移動局−基地局間の同期タイミングずれを算出し、Ｌ２／Ｌ３（Ｌａｙｅｒ２／Ｌａｙｅｒ３）メッセージを送信するためスケジューリングを行ない、Ｔｅｍｐｏｒａｒｙ  Ｃ−ＲＮＴＩ（Temporary Cell-Radio Network Temporary Identity）を割り当て、下りリンク制御チャネルＰＤＣＣＨにランダムアクセスチャネルＲＡＣＨにランダムアクセスプリアンブルを送信した移動局装置宛の応答を示すＲＡ−ＲＮＴＩ（Random Access-Radio Network Temporary Identity）を配置し、下りリンク共用データチャネルＰＤＳＣＨに同期タイミングずれ情報（Timing Advance)、スケジューリング情報、Ｔｅｍｐｏｒａｒｙ  Ｃ−ＲＮＴＩおよび受信したランダムアクセスプリアンブルのランダムアクセスプリアンブル番号（またはランダムＩＤ）を含んだランダムアクセスレスポンスを送信する（メッセージ２（ステップＳ１２））。
【００１６】
移動局装置は、下りリンク制御チャネルＰＤＣＣＨにＲＡ−ＲＮＴＩがあることを確認すると、下りリンク共用データチャネルＰＤＳＣＨに配置されたランダムアクセスレスポンスの中身を確認し、送信したランダムアクセスプリアンブル番号（またはランダムＩＤ）が含まれる応答を抽出し、同期タイミングずれ情報を取得して上りリンクの送信タイミングを補正し、スケジューリングされた無線リソースで少なくともＣ−ＲＮＴＩ（またはTemporary C-RNTI）を含むＬ２／Ｌ３メッセージを送信する（メッセージ３（ステップＳ１３））。
【００１７】
基地局装置は、移動局装置からのＬ２／Ｌ３メッセージを受信すると、受信したＬ２／Ｌ３メッセージに含まれるＣ−ＲＮＴＩ（またはTemporary C-RNTI）を使用して移動局装置間で衝突が起こっているかどうか判断するためのコンテンションレゾリューションを移動局装置に送信する（メッセージ４（ステップＳ１４））（非特許文献３）。
【００１８】
また、移動局装置は、連続受信モードの場合、無線リンクの品質測定を行ない、無線リンクの異常検出を行なう。図１３は、無線リンクの異常（無線リンクの問題）を検出した場合の処理を示す図である。移動局装置が、下りリンクパイロットチャネルＤＰｉＣＨを常に測定して、下りリンクパイロットチャネルＤＰｉＣＨの受信品質（例えば、２００ｍｓの平均値）がある一定の閾値ａ未満になると、連続受信状態から無線リンク異常（radio link problem）検出（i）になり、そして、タイマーＴ１をスタートさせ、復旧期間Ａが開始される。
【００１９】
復旧期間Ａでは、移動局装置は、下りリンクパイロットチャネルＤＰｉＣＨの品質をチェックする（ii）。ここで、閾値ｂ以上に回復していた場合は、連続受信状態に戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【非特許文献１】3GPP TS(Technical Specification)36.211、V8.30(2008-05)、Technical Specification Group Radio Access Network、Physical Channel and Modulation (Release 8)
【非特許文献２】3GPP TS(Technical Specification)36.212、V8.30(2008-05)、Technical Specification Group Radio Access Network、Multiplexing and channel coding(Release 8)
【非特許文献３】3GPP TS(Technical Specification)36.300、V8.50(2008-05)、Evolved Universal Terrestrial Radio Access(E-UTRA) and Evolved Universal Terrestrial Radio Access Network(E-UTRAN)、Overall description Stage2
【非特許文献４】3GPP TR(Technical Report)25.814、V7.0.0(2006-06)、Physical layer aspects for evolved Universal Terrestrial Radio Access(UTRA)
【発明の開示】
【発明が解決しようとする課題】
【００２０】
しかしながら、現状で定義されているのは、連続受信モードの場合の無線リンク異常検出処理のみである。間欠受信モードでの無線リンク異常処理を連続受信モードの無線リンク異常検出処理と同じ方法で行なおうとすると、一定期間連続した下りリンクパイロットチャネルＤＰｉＣＨの受信品質を用いて、検出処理を行なうため、ＤＲＸ間隔が長いＬｏｎｇ  ＤＲＸの場合、下りリンクパイロットチャネルＤＰｉＣＨの平均値を算出するだけでも数十秒費やしてしまう。また、このような長い時間に算出した値は、無線リンク環境の良否を行なうことに適していない。
【００２１】
本発明は、このような事情に鑑みてなされたものであり、間欠受信モードで無線リンクの異常検出処理を行なう移動局装置、基地局装置および移動通信システムを提供することを目的とする。
【課題を解決するための手段】
【００２２】
（１）上記の目的を達成するために、本発明は、以下のような手段を講じた。すなわち、本発明の移動局装置は、基地局装置と接続している間に連続受信動作または間欠受信動作を行なう移動局装置であって、特定の受信間隔で間欠受信動作を行なう場合には、連続受信動作を行なう場合とは異なる無線リンク測定を行なうことを特徴としている。
【００２３】
このように、特定の受信間隔で間欠受信動作を行なう場合には、連続受信動作を行なう場合とは異なる無線リンク測定を行なうので、無線リンクの異常を検出した場合でも、早期に無線リンクの回復処理を行なうことが可能となる。また、間欠受信動作を考慮しているため、消費電力を少なく抑えることが可能となる。
【００２４】
（２）また、本発明の移動局装置は、前記特定の受信間隔以外の受信間隔で間欠受信動作を行なう場合には、連続受信動作を行なう場合と同じ無線リンク測定を行なう一方、前記特定の受信間隔で間欠受信動作を行なう場合には、連続受信動作を行なう場合とは異なる無線リンク測定を行なうことを特徴としている。
【００２５】
このように、前記特定の受信間隔以外の受信間隔で間欠受信動作を行なう場合には、連続受信動作を行なう場合と同じ無線リンク測定を行なう一方、前記特定の受信間隔で間欠受信動作を行なう場合には、連続受信動作を行なう場合とは異なる無線リンク測定を行なうので、間欠受信動作の間隔に応じて、無線リンク測定の仕方を切り替えることが可能となる。その結果、無線リンクの異常を検出した場合でも、早期に無線リンクの回復処理を行なうことが可能となる。また、間欠受信動作を考慮しているため、消費電力を少なく抑えることが可能となる。
【００２６】
（３）また、本発明の移動局装置は、前記間欠受信動作の受信期間内に測定した無線リンク測定結果に基づいて、前記連続受信動作時とは異なる無線リンク測定を行なうことを特徴としている。
【００２７】
このように、前記間欠受信動作の受信期間内に測定した無線リンク測定結果に基づいて、前記連続受信動作時とは異なる無線リンク測定を行なうので、ＤＲＸの動作を維持しつつ、正確な無線リンクの測定を行なうことが可能となる。
【００２８】
（４）また、本発明の移動局装置は、前記基地局装置から、受信動作を行なう受信ＯＮ期間、間欠受信動作を行なう間欠受信動作期間および他の基地局装置の無線リンク測定を行なう期間を指定する情報を受信し、前記受信した情報に基づいて、間欠受信動作を行なうと共に、受信動作を行なわない受信ＯＦＦ期間内に接続していない他の基地局装置の無線リンク測定を行なうことを特徴としている。
【００２９】
この構成により、受信動作を行なわない受信ＯＦＦ期間内に接続していない他の基地局装置の無線リンク測定を行なうことができる。
【００３０】
（５）また、本発明の移動局装置は、前記他の基地局装置の無線リンク測定を行なった後、連続的に接続中の基地局装置の無線リンク測定を行なうことを特徴としている。
【００３１】
このように、他の基地局装置の無線リンク測定を行なった後、連続的に接続中の基地局装置の無線リンク測定を行なうので、受信ＯＦＦ期間に接続中の基地局装置の無線リンク測定を単独で行なうよりも消費電力を少なくすることができる。
【００３２】
（６）また、本発明の移動局装置は、前記基地局装置から、受信動作を行なう受信ＯＮ期間および間欠受信動作を行なう間欠受信動作期間を指定する情報を受信し、前記受信ＯＮ期間および間欠受信動作期間に基づいて間欠受信動作を行なうと共に、前記受信ＯＮ期間内に無線リンク測定を行なうことを特徴としている。
【００３３】
このように、受信ＯＮ期間および間欠受信動作期間に基づいて間欠受信動作を行なうと共に、前記受信ＯＮ期間内に無線リンク測定を行なうので、移動局装置は、各状態を考慮する必要がなくなる。また、基地局装置が移動局装置の間欠受信動作を制御することが可能となる。
【００３４】
（７）また、本発明の基地局装置は、接続時に連続受信動作または間欠受信動作を行なう移動局装置を収容する基地局装置であって、前記移動局装置が、間欠受信動作を行なう際に、受信動作を行なう受信ＯＮ期間と間欠受信動作を行なう間欠受信動作期間とを対応付けたテーブルを有し、前記テーブルから移動局装置毎に受信ＯＮ期間および間欠受信動作期間を選択し、選択した受信ＯＮ期間および間欠受信動作期間を指定する情報を移動局装置に通知することを特徴としている。
【００３５】
このように、テーブルから移動局装置毎に受信ＯＮ期間および間欠受信動作期間を選択し、選択した受信ＯＮ期間および間欠受信動作期間を指定する情報を移動局装置に通知するので、基地局装置が移動局装置の間欠受信動作を制御することが可能となる。また、移動局装置は、各状態を考慮する必要がなくなる。
【００３６】
（８）また、本発明の移動通信システムは、請求項１から請求項５のいずれかに記載の移動局装置と、基地局装置と、から構成されることを特徴としている。
【００３７】
この構成により、特定の受信間隔で間欠受信動作を行なう場合には、連続受信動作を行なう場合とは異なる無線リンク測定を行なうので、無線リンクの異常を検出した場合でも、早期に無線リンクの回復処理を行なうことが可能となる。また、間欠受信動作を考慮しているため、消費電力を少なく抑えることが可能となる。
【００３８】
（９）また、本発明の移動通信システムは、請求項６記載の移動局装置と、請求項７記載の基地局装置と、から構成されることを特徴としている。
【００３９】
この構成によれば、受信ＯＮ期間および間欠受信動作期間に基づいて間欠受信動作を行なうと共に、前記受信ＯＮ期間内に無線リンク測定を行なうので、移動局装置は、各状態を考慮する必要がなくなる。また、基地局装置が移動局装置の間欠受信動作を制御することが可能となる。
【発明の効果】
【００４０】
本発明によれば、特定の受信間隔で間欠受信動作を行なう場合には、連続受信動作を行なう場合とは異なる無線リンク測定を行なうので、無線リンクの異常を検出した場合でも、早期に無線リンクの回復処理を行なうことが可能となる。また、間欠受信動作を考慮しているため、消費電力を少なく抑えることが可能となる。
【発明を実施するための最良の形態】
【００４１】
（第１の実施形態）
次に、本発明に係る実施形態について、図面を参照しながら説明する。本実施形態では、上りリンクおよび下りリンクのチャネル構成は、図７に示したシステムを想定する。また、下りリンク共用チャネルＰＤＳＣＨ受信には、連続受信モードと、間欠受信（ＤＲＸ：Discontinuous Reception）モードがある。また、短い時間間隔のＤＲＸ（Short DRX）と長い時間間隔のＤＲＸ（Long DRX）が存在する通信システムを想定する。
【００４２】
間欠受信モードは、基地局装置から移動局装置に間欠受信間隔等（受信ＯＮ間隔やＤＲＸ間隔）のパラメータが指定されて連続受信モードから間欠受信モードに移行する。間欠受信モードに入ると、基地局装置で指定された受信ＯＮ間隔の間の下りリンク制御チャネルＰＤＣＣＨをモニタして、下りリンク共用チャネルＰＤＳＣＨの割り当てがあった場合、受信ＯＮ期間を延ばして、下りリンク共用チャネルＰＤＳＣＨのデータを受信する。
【００４３】
間欠受信モードには、Ｓｈｏｒｔ  ＤＲＸとＬｏｎｇ  ＤＲＸがあり、最初にＳｈｏｒｔ  ＤＲＸから間欠受信モードに入る。そして、ある一定期間に下りリンク共用チャネルＰＤＳＣＨの割り当てがされない場合にＳｈｏｒｔ  ＤＲＸからＬｏｎｇ  ＤＲＸに移行する。ＤＲＸに関するパラメータ（ＤＲＸの間隔、受信ＯＮ期間等）は、基地局装置から移動局装置に通知されるものとする。
【００４４】
Ｓｈｏｒｔ  ＤＲＸの場合、受信ＯＮ期間のみに下りリンクの無線測定を行なっても測定に費やされる時間が無線リンクの変動に追従できている範囲であれば問題ないが、Ｌｏｎｇ  ＤＲＸの場合、下りリンクの無線変動に追従できないので、ある時間範囲の測定結果でしか、意味はない。よって、Ｓｈｏｒｔ  ＤＲＸの場合は、受信ＯＮ期間のみ下りリンクの無線測定を行ない、Ｌｏｎｇ  ＤＲＸの場合は、受信ＯＮ期間に測定した下りリンクの無線状態により、下りリンクの無線測定を受信ＯＮ期間の終了後にも継続するようする。この様にすることで、ＤＲＸの動作を維持しつつ、正確な無線リンクの測定を行なうことができる。
【００４５】
図１Ａ〜図１Ｃは、Ｌｏｎｇ  ＤＲＸの動作例を示す図である。図１Ａに示すようなＬｏｎｇ  ＤＲＸの場合、図１Ｂに示すように、最初に受信ＯＮ期間だけ下りリンクの測定（下りリンクパイロットチャネルＤＰｉＣＨの受信品質測定）を行なう。そして、受信ＯＮ期間の下りリンクの受信品質測定結果が一定値α以上の場合、ＤＲＸの受信ＯＦＦ期間に入る。受信ＯＮ期間の下りリンクの受信品質測定結果が一定値α以下の場合、図１Ｃに示すように、受信ＯＮ期間を継続して、下りリンクの受信品質測定を継続する。そして、連続受信時と同じ時間または短い時間を下りリンクの受信品質測定を行ない、連続受信と同じように受信品質測定結果がａ以下になった場合、無線リンク異常を検出し、図１３に示したような無線リンク異常処理を行なう。
【００４６】
一方、受信品質測定結果がａ以上である場合、受信ＯＦＦ期間に入る。なお、この場合でも、Ｌｏｎｇ  ＤＲＸ間隔は変わらないこととする。つまり、通常のＤＲＸに比べ、受信ＯＦＦ期間のみが短くなる。
【００４７】
図２は、Ｓｈｏｒｔ  ＤＲＸの動作例を示す図である。この場合、連続受信と同じように、受信ＯＮ期間のみで下りリンクの受信品質測定を行ない、連続受信時と同じか短い一定の受信ＯＮ期間の結果から下りリンクの無線状態を判断する。
【００４８】
図３は、移動局装置の概略構成を示す図である。移動局装置３０は、データ制御部３１、ＤＦＴ−Ｓ−ＯＦＤＭ変調部３２、スケジューリング部３３、ＯＦＤＭ復調部３４、チャネル推定部３５、制御データ抽出部３６、プリアンブル生成部３７および無線部３８から構成される。スケジューリング部３３は、ＵＬスケジューリング部３３ａ、制御データ解析部３３ｂ、制御データ作成部３３ｃ、下りリンク監視部３３ｄ、ＤＲＸ制御部３３ｅから構成される。
【００４９】
ユーザーデータと制御データは、データ制御部３１に入力される。データ制御部３１は、入力されたデータをスケジューリング部３３からの指示により、上りリンク共用チャネルＰＵＳＣＨや上りリンク制御チャネルＰＵＣＣＨに配置する。また、この時、上りリンクパイロットチャネルＵＰｉＣＨも配置する。ＤＦＴ−Ｓ−ＯＦＤＭ変調部３２は、データ変調を行ない、ＤＦＴ変換、サブキャリアマッピング、ＩＦＦＴ変換、ＣＰ（Cyclic Prefix）挿入、フィルタリングなどのＤＦＴ−Ｓ−ＯＦＤＭ信号処理を行ない、ＤＦＴ−Ｓｐｒｅａｄ−ＯＦＤＭ信号を生成する。そして、ＤＦＴ−Ｓｐｒｅａｄ−ＯＦＤＭ変調された信号を無線部３８に出力する。上りリンクの通信方式は、ＤＦＴ−ｓｐｒｅｄ  ＯＦＤＭのようなシングルキャリア方式を想定しているが、ＯＦＤＭ方式のようなマルチキャリア方式でも構わない。
【００５０】
無線部３８は、変調されたデータを無線周波数にアップコンバートして、基地局装置に送信する。また、無線部３８は、基地局装置からの下りリンクの信号を受信し、ベースバンド信号にダウンコンバートして、受信信号をＯＦＤＭ復調部３４とチャネル推定部３５に出力する。チャネル推定部３５は、サブフレーム毎に下りリンクパイロットチャネルＤＰｉＣＨから無線伝搬路特性を推定し、推定結果をＯＦＤＭ復調部３４とスケジューリング部３３に出力する。スケジューリング部３３には、下りリンクの受信品質を測定した結果と基地局装置に無線伝搬路推定結果を通知する為にＣＱＩ情報に変換した推定結果を出力する。
【００５１】
ＯＦＤＭ復調部３４は、チャネル推定部３５の無線伝搬路推定結果から受信データを復調する。制御データ抽出部３６は、受信データをユーザーデータと制御データに分離する。スケジューリング情報、ランダムアクセスレスポンスメッセージやＤＲＸ制御（間欠受信制御）に関する制御データやその他のレイヤー２の制御データはスケジューリング部３３に出力し、ユーザーデータを上位層に出力する。プリアンブル生成部３７は、スケジューリング部３３からの指示により、ランダムアクセスで使用するランダムアクセスプリアンブル番号をランダムに選択し、選択したランダムアクセスプリアンブル番号のランダムアクセスプリアンブルを生成し、ＤＦＴ−Ｓ−ＯＦＤＭ変調部３２に出力する。
【００５２】
スケジューリング部３３は、ＵＬスケジューリング部３３ａ、制御データ解析部３３ｂ、制御データ作成部３３ｃ、下りリンク監視部３３ｄ、ＤＲＸ制御部３３ｅから構成される。制御データ解析部３３ｂは、制御データ抽出部３６から入力された制御データを解析し、スケジューリング情報やランダムアクセスレスポンスメッセージに含まれるスケジューリング情報を、ＵＬスケジューリング部３３ａに出力し、ＤＲＸ制御に関する制御データをＤＲＸ制御部３３ｅに出力する。また、受信データの応答（成／否）を返すよう制御データ作成部３３ｃに指示する。
【００５３】
ＵＬスケジューリング部３３ａは、スケジューリング情報からユーザーデータや制御データを上りリンク共用チャネルＰＵＳＣＨや上りリンク制御チャネルＰＵＣＣＨに配置するようにデータ制御部３１に指示する。制御データ作成部３３ｃは、受信データの応答やチャネル推定部３５からのＣＱＩ情報から制御データを作成し、作成した制御データをデータ制御部３１に出力する。下りリンク監視部３３ｄは、連続受信時およびＳｈｏｒｔ  ＤＲＸ時にはチャネル推定部３５からの測定結果と過去の推定結果とから平均化して、平均化した結果から下りリンクの無線状態を判断する。また、Ｌｏｎｇ  ＤＲＸ時には、チャネル推定部３５からの測定結果から下りリンクの無線状態の監視を継続するかどうか判断し、継続する場合には、ＤＲＸ制御部３３ｅに受信ＯＮ期間を延長するように指示する。また、ＤＲＸ時に下りリンクの無線リンク異常を検出した場合にも、ＤＲＸ制御部３３ｅに受信ＯＮ期間を延長するように指示する。
【００５４】
ＤＲＸ制御部３３ｅは、制御データ解析部３３ｂからのＤＲＸ制御に関するパラメータに基づいて、ＤＲＸを行なうために無線部３８やその他の制御部の電源制御を行なう（但し、図３では、無線部３８のみに指示するように記載している。）。また、下りリンク監視部３３ｄや制御データ解析部３３ｂからの指示により受信ＯＮ期間を変更する。
【００５５】
図４Ａおよび図４Ｂは、移動局装置の下りリンクの受信品質測定の動作を示す図である。図４Ａの右端と図４Ｂの左端とは連続しており、記載の便宜上、２つに分けて示している。連続受信時の場合、移動局装置が下りリンクパイロットチャネルＤＰｉＣＨを常に測定して、下りリンクパイロットチャネルＤＰｉＣＨの受信品質（例えば２００ｍｓの平均値）がある一定の閾値ａ未満になると、図１３に示したように、連続受信状態から無線リンク異常（radio link problem）検出（i）になり、そして、タイマーＴ１をスタートさせ、復旧期間Ａが開始される。復旧期間Ａでは、移動局装置は、下りリンクパイロットチャネルＤＰｉＣＨの品質をチェックする（ii）。ここで、閾値ｂ以上に回復していた場合は、連続受信状態に戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００５６】
基地局装置からＤＲＸ制御のパラメータ（Ｓｈｏｒｔ  ＤＲＸ間隔、Ｌｏｎｇ  ＤＲＸ間隔、受信ＯＮ期間、Ｓｈｏｒｔ  ＤＲＸ開始位置、Ｌｏｎｇ  ＤＲＸ移行時間など）が通知されると、Ｓｈｏｒｔ  ＤＲＸに入る。下りリンクパイロットチャネルＤＰｉＣＨの受信品質測定は継続して行なわれる。ただし、受信ＯＮ期間のみ受信品質測定を行ない、連続受信時と同じ期間分（例えば受信ＯＮ期間が２００ｍｓの間）の平均値、または、短い期間（例えば、受信ＯＮ期間および受信ＯＦＦ期間を含めて２００ｍｓの間、または、受信ＯＮ期間が１００ｍｓの間）の平均値がある一定の閾値ａ未満になると、図１３に示したように、連続受信状態から無線リンク異常検出（i）になり、そして、タイマーＴ１をスタートさせ、復旧期間Ａが開始される。また、この時、ＤＲＸ動作は停止し、連続受信状態に移行する。復旧期間Ａでは、移動局装置は、下りリンクパイロットチャネルＤＰｉＣＨの品質をチェックする（ii）。ここで、閾値ｂ以上に回復していた場合は、Ｓｈｏｒｔ  ＤＲＸに戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００５７】
Ｓｈｏｒｔ  ＤＲＸの間である一定期間、下りリンク制御チャネルＰＤＣＣＨの受信がないとＬｏｎｇ  ＤＲＸに移行する。Ｌｏｎｇ  ＤＲＸでは、最初に受信ＯＮ期間だけ下りリンクの測定（下りリンクパイロットチャネルＤＰｉＣＨの受信品質測定）を行なう。そして、受信ＯＮ期間の下りリンクの受信品質測定結果が一定値α以上の場合、ＤＲＸの受信ＯＦＦ期間に入る。受信ＯＮ期間の下りリンクの受信品質測定結果が一定値α以下の場合、受信ＯＮ期間を継続して、下りリンクの受信品質測定を継続する。そして、連続受信時と同じ時間（例えば受信ＯＮ期間が２００ｍｓの間）に下りリンクの受信品質測定を行ない、平均値がある一定の閾値ａ以上の場合、ＤＲＸ受信ＯＦＦ期間に入る、平均値がある一定の閾値ａ未満になると、図１３に示したように、連続受信状態から無線リンク異常検出（i）になり、そして、タイマーＴ１をスタートさせ、復旧期間Ａが開始される。また、この時、ＤＲＸ動作は停止し、連続受信状態に移行する。復旧期間Ａでは、移動局装置は、下りリンクパイロットチャネルＤＰｉＣＨの品質をチェックする（i）。ここで、閾値ｂ以上に回復していた場合は、Ｌｏｎｇ  ＤＲＸに戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００５８】
（第２の実施形態）
第１の実施形態では、移動局装置が連続受信状態およびＤＲＸ状態を考慮して下りリンクの受信品質測定を行なうようにしたが、第２の実施形態では、移動局装置は各状態を考慮しないで下りリンクの受信測定を行なう。つまり、連続受信時は、一定期間の下りリンクパイロットチャネルＤＰｉＣＨの受信品質を測定し、平均値を用いて下りリンクの品質を判定する。移動局装置は、ＤＲＸ時にも受信ＯＮ期間のみに下りリンクパイロットチャネルＤＰｉＣＨの受信品質を測定し、下りリンクの品質を判定する。
【００５９】
これは、受信ＯＮ期間を制御して行なう。例えば、Ｓｈｏｒｔ  ＤＲＸにおいて、ＤＲＸ間隔が４ｍｓ以下の場合、受信ＯＮ期間が１ｍｓとした場合、４００ｍｓあれば、１００ｍｓ以上間の下りリンクパイロットチャネルの品質測定を行なうことができ、ＤＲＸの効果も十分である。また、Ｌｏｎｇ  ＤＲＸにおいて、ＤＲＸ間隔が４００ｍｓ以上の場合、受信ＯＮ期間を１００ｍｓとすれば、受信ＯＮ期間にのみ下りリンクパイロットチャネルの品質測定を行なうことができ、ＤＲＸの効果も上記のＳｈｏｒｔ  ＤＲＸの効果と同じかそれ以上になる。ＤＲＸ間隔が４ｍｓ以上、４００ｍｓ以下の場合は、上記の範囲内になるように受信ＯＮ期間を設定する。
【００６０】
下りリンクパイロットチャネルＤＰｉＣＨの受信品質を１００ｍｓで測定するものとし、式で表すと、
受信ＯＮ期間が１００ｍｓ未満の場合、受信ＯＮ期間×β≧ＤＲＸ間隔・・・（１）
受信ＯＮ期間が１００ｍｓ以上の場合、受信ＯＮ期間×β≦ＤＲＸ間隔・・・（２）
ただし、受信ＯＮ期間が１００ｍｓ未満の場合、ＤＲＸの効果を考慮して、
受信ＯＮ期間×β≧ＤＲＸ間隔≧受信ＯＮ期間×β÷２・・・（３）、としても良い。
【００６１】
このように、基地局装置が設定するＤＲＸ間隔に対応して、受信ＯＮ期間を設定することで、移動局装置は常に受信ＯＮ期間での下りリンクパイロットチャネルＤＰｉＣＨの受信品質測定を行なう。
【００６２】
具体的な例を示す。ここでは、βは４とすると、以下のようなＤＲＸ間隔と受信ＯＮ期間がある場合、
【表１】
2010098581.tif 000003
式（１）と（３）からＤＲＸ間隔と受信ＯＮ期間の関係は以下のようになる。
【００６３】
【表２】
2010098581.tif 000004
なお、表２中、（）の値は、式（３）の変わりに式（２）を使用した場合の値を示す。
【００６４】
基地局装置は、上記のようなＤＲＸ間隔と受信ＯＮ期間を関連付けるテーブルを持ち、移動局装置のデータのＱｏＳ（Quality of Service）や移動局装置の収容状況や下りリンクの無線伝搬路の状況などによりテーブルから適した受信ＯＮ期間およびＤＲＸ間隔を選択し、移動局装置に選択したパラメータを通知する。
【００６５】
図５は、基地局装置の概略構成を示す図である。基地局装置５０は、データ制御部５１、ＯＦＤＭ変調部５２、スケジューリング部５３、チャネル推定部５４、ＤＦＴ−Ｓｐｒｅａｄ  ＯＦＤＭ復調部５５、制御データ抽出部５６、プリアンブル検出部５７、無線部５８から構成される。スケジューリング部５３は、ＤＬスケジューリング部５３ａ、ＵＬスケジューリング部５３ｂ、制御データ作成部５３ｃ、上りリンク制御チャネル管理部５３ｄ、ＤＲＸ管理部５３ｅから構成される。
【００６６】
データ制御部５１は、ユーザーデータと制御データを入力し、スケジューリング部５３からの指示により、制御データを下りリンク共通制御チャネルＰＤＣＣＨ、下りリンク同期チャネルＤＳＣＨ、下りリンクパイロットチャネルＤＰｉＣＨ、共通制御シグナリングチャネルＣＣＰＣＨにマッピングし、各移動局装置に対する送信データや制御データを下りリンク共用データチャネルＰＤＳＣＨにマッピングする。ＯＦＤＭ変調部５２は、データ変調、入力信号の直列／並列変換し、ＩＦＦＴ（Inverse Fast Fourier Transform）変換、ＣＰ（Cyclic Prefix）挿入、フィルタリングなどＯＦＤＭ信号処理を行ない、ＯＦＤＭ信号を生成する。無線部５８は、ＯＦＤＭ変調されたデータを無線周波数にアップコンバートして、移動局に送信する。また、無線部５８は、移動局装置からの上りリンクのデータを受信し、ベースバンド信号にダウンコンバートして、受信データをＤＦＴ−Ｓｐｒｅａｄ  ＯＦＤＭ復調部５５、チャネル推定部５４、プリアンブル検出部５７に出力する。
【００６７】
チャネル推定部５４は、上りリンクパイロットチャネルＵＰｉＣＨから無線伝搬路特性を推定し、ＤＦＴ−Ｓｐｒｅａｄ  ＯＦＤＭ復調部５５に無線伝搬路推定結果を出力する。また、上りリンクパイロットチャネルＵＰｉＣＨから上りリンクのスケジューリングを行なう為に無線伝搬路推定結果をスケジューリング部５３に出力する。なお、上りリンクの通信方式は、ＤＦＴ−Ｓｐｒｅｄ  ＯＦＤＭ等のようなシングルキャリア方式を想定しているが、ＯＦＤＭ方式のようなマルチキャリア方式でも構わない。
【００６８】
制御データ抽出部５６は、受信データの正誤を確認し、確認結果をスケジューリング部５３に通知する。受信データが正しい場合、受信データをユーザーデータと制御データに分離する。制御データの中で下りリンクのＣＱＩ情報、下りリンクデータの成／否（ＡＣＫ／ＮＡＣＫ）などのレイヤー２の制御データはスケジューリング部５３に出力し、その他のレイヤー３等の制御データとユーザーデータは上位層に出力する。受信データが誤りの場合、再送データと合成するために保存しておき、再送データを受信した時に合成処理を行なう。
【００６９】
スケジューリング部５３は、下りリンクのスケジューリングを行なうＤＬスケジューリング部５３ａ、上りリンクのスケジューリングを行なうＵＬスケジューリング部５３ｂ、制御データ作成部５３ｃ、上りリンク制御チャネル管理部５３ｄおよびＤＲＸ管理部５３ｅから構成される。ＤＬスケジューリング部５３ａは、移動局装置から報告される下りリンクＣＱＩ情報、下りリンクデータの成／否（ＡＣＫ／ＮＡＣＫ）情報や上位層からの通知される各ユーザーのデータ情報やＤＲＸ管理部５３ｅから入力されるＤＲＸのパラメータを用いて、制御データ作成部５３ｃで作成される制御データからユーザーデータや制御データを下りリンク共用チャネルＰＤＳＣＨや下りリンク制御チャネルＰＤＣＣＨにマッピングする為のスケジューリングを行なう。
【００７０】
ＵＬスケジューリング部５３ｂは、チャネル推定部５４からの上りリンクの無線伝搬路推定結果と移動局装置からのリソース割り当て要求に基づいて、上りリンク共用チャネルＰＵＳＣＨにユーザーデータをマッピングする為のスケジューリングを行なう。制御データ作成部５３ｃは、上りリンクの受信データの正誤からＡＣＫ／ＮＡＣＫ、プリアンブル検出部５７の検出結果から、ランダムアクセスレスポンスメッセージを作成し、ＤＲＸ管理部５３ｅからのＤＲＸに関するパラメータなどの制御データを作成する。ＤＲＸ管理部５３ｅは、各移動局装置の状況に応じて、表１からＤＲＸ制御のパラメータを選択して、管理する。そして、移動局装置に通知するために、ＤＲＸに関するパラメータを制御データ作成部５３ｃに出力し、また、選択したパラメータで動作する移動局装置にデータを送信するために、ＤＬスケジューリング部５３ａに作成したパラメータを通知する。
【００７１】
プリアンブル検出部５７は、ランダムアクセスプリアンブルを検出し、同期タイミングずれ量を算出し、ランダムアクセスプリアンブル番号と同期タイミングずれ量をスケジューリング部５３に報告する。
【００７２】
第２の実施形態では、移動局装置の構成は、図３に示した第１の実施形態に係る移動局装置と同じである。機能的な違いは、下りリンク監視部３３ｄの動作が、基地局装置から通知されるＤＲＸパラメータが８０ｍｓ以内の場合までは、受信ＯＮ期間が一定期間（例えば１００ｍｓ間）の下りリンクパイロットチャネルＤＰｉＣＨの受信品質の平均値から、下りリンクの品質判定を行なう。受信ＯＮ期間１００ｍｓ以上の場合では、受信ＯＮ期間一回の範囲内で下りリンクパイロットチャネルＤＰｉＣＨの受信品質を測定して、下りリンクの品質の判定を行なう。
【００７３】
図６Ａおよび図６Ｂは、移動局装置の動作例を示す図である。図６Ａの右端と図６Ｂの左端とは連続しており、記載の便宜上、２つに分けて示している。連続受信時の場合、移動局装置が下りリンクパイロットチャネルＤＰｉＣＨを常に測定して、下りリンクパイロットチャネルＤＰｉＣＨの受信品質（例えば１００ｍｓの平均値）がある一定の閾値ａ未満になると、図１３に示したように、連続受信状態から無線リンク異常（radio link problem）検出（i）になり、そして、タイマーＴ１をスタートさせ、復旧期間Ａが開始される。復旧期間Ａでは、移動局装置は、下りリンクパイロットチャネルＤＰｉＣＨの品質をチェックする（ii）。ここで、閾値ｂ以上に回復していた場合は、連続受信状態に戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００７４】
基地局装置からＤＲＸ制御のパラメータ（Ｓｈｏｒｔ  ＤＲＸ間隔、Ｌｏｎｇ  ＤＲＸ間隔、受信ＯＮ期間、Ｓｈｏｒｔ  ＤＲＸ開始位置、Ｌｏｎｇ  ＤＲＸ移行時間など）が通知されると、Ｓｈｏｒｔ  ＤＲＸに入る。下りリンクパイロットチャネルＤＰｉＣＨの受信品質測定は継続して行なわれる。ただし、受信ＯＮ期間のみ受信品質測定を行ない、連続受信時と同じ期間分（例えば受信ＯＮ期間が１００ｍｓの間）の平均値がある一定の閾値ａ未満になると、図１３に示したように、連続受信状態から無線リンク異常検出（i）になり、そして、タイマーＴ１をスタートさせ、復旧期間Ａが開始される。また、この時、ＤＲＸ動作は停止し、連続受信状態に移行する。復旧期間Ａでは、移動局装置は、下りリンクパイロットチャネルＤＰｉＣＨの品質をチェックする（ii）。ここで、閾値ｂ以上に回復していた場合は、Ｓｈｏｒｔ  ＤＲＸに戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００７５】
Ｓｈｏｒｔ  ＤＲＸの間である一定期間、下りリンク制御チャネルＰＤＣＣＨの受信がないとＬｏｎｇ  ＤＲＸに移行する。Ｌｏｎｇ  ＤＲＸでは、受信ＯＮ期間のみ下りリンクパイロットチャネルＤＰｉＣＨの受信品質測定を行なう。つまり、受信ＯＮ期間の最後で時間で下りリンクの受信品質測定した結果を判定する。平均値がある一定の閾値ａ以上の場合、ＤＲＸ受信ＯＦＦ期間に入る、平均値がある一定の閾値ａ未満になると、図１３に示したように、連続受信状態から無線リンク異常検出（i）になり、そして、タイマーＴ１をスタートさせ、復旧期間Ａが開始される。また、この時、ＤＲＸ動作は停止し、連続受信状態に移行する。復旧期間Ａでは、移動局装置は、下りリンクパイロットチャネルＤＰｉＣＨの品質をチェックする（ii）。ここで、閾値ｂ以上に回復していた場合は、Ｌｏｎｇ  ＤＲＸに戻る。閾値ｂ未満の場合、無線リンクエラーとなり、タイマーＴ２をスタートさせ、復旧期間Ｂに移る。復旧期間Ｂでは、Ｃｏｎｔｅｎｔｉｏｎ  ｂａａｓｅｄ  Ｒａｎｄｏｍ  Ａｃｃｅｓｓを行ない、基地局装置と再接続処理を行なう（iii）。タイマーＴ２以内に基地局装置と再接続できた場合は、連続受信状態に移行し、再接続に失敗した場合は、非接続状態に移行する。
【００７６】
（第３の実施形態）
移動局装置は、基地局装置からの指示により、定期的に同じ無線周波数帯の異なる基地局装置の無線リンクの測定を行なうことになっている。本実施例では、Ｌｏｎｇ  ＤＲＸでの無線リンク測定をこの異なる基地局装置の無線リンク測定を行なう時に実行する。
【００７７】
図１４は、定期的に同じ無線周波数帯の異なる基地局装置の無線リンクの測定を行なうことを示した図である。図１４の様に定期的に受信ＯＦＦ期間に他の基地局装置の無線リンクを測定する。この時に図１５のように自基地局装置の無線リンク測定も行なうことによって、移動局装置の消費電力は、受信ＯＦＦ期間に自基地局装置の無線リンク測定を単独で行なうよりも、消費電力は少なくて済む。つまり、他の基地局装置の無線リンク測定に続いて、自基地局装置の無線リンクの測定を行なう。なお、Ｓｈｏｒｔ  ＤＲＸの時は、第１の実施形態と同じように、受信ＯＮ期間にのみに無線リンクの測定を行なう。
【００７８】
移動局装置は、基地局装置から、他の基地局装置の下りリンクパイロットチャネルＤＰｉＣＨの受信品質測定を一定の間隔で一定期間に行なうように指示されると、他の基地局装置の下りリンクパイロットチャネルＤＰｉＣＨの受信品質測定を行ない、一定期間後に連続して自基地局装置の下りリンクパイロットチャネルＤＰｉＣＨの受信品質測定を行なう。この時、連続受信時と同じ期間分（例えば受信ＯＮ期間が１００ｍｓの間）の測定を行なうことができない場合は、複数回に分けて下りリンクパイロットチャネルＤＰｉＣＨの受信品質測定を行ない、受信品質を判定する。
【００７９】
この様にすることで、基本的なＤＲＸ動作を維持しつつ、移動局装置の消費電力を上げることなく、無線リンク測定を行なうことができる。なお、この動作は、異周波数の異なる基地局装置の無線リンクの測定を行なう場合にも行なうことができる。
【００８０】
以上説明したように、本実施形態によれば、間欠受信モードを考慮した、無線リンクの測定を行なうことによって、無線リンクの異常を検出した場合でも早期に無線リンクの回復処理ができる。また、間欠受信を考慮しているので、消費電力も少なくて済む。
【図面の簡単な説明】
【００８１】
【図１Ａ】Ｌｏｎｇ  ＤＲＸの動作例を示す図である。
【図１Ｂ】Ｌｏｎｇ  ＤＲＸの動作例を示す図である。
【図１Ｃ】Ｌｏｎｇ  ＤＲＸの動作例を示す図である。
【図２】Ｓｈｏｒｔ  ＤＲＸの動作例を示す図である。
【図３】移動局装置の概略構成を示す図である。
【図４Ａ】移動局装置の下りリンクの受信品質測定の動作を示す図である。
【図４Ｂ】移動局装置の下りリンクの受信品質測定の動作を示す図である。
【図５】基地局装置の概略構成を示す図である。
【図６Ａ】移動局装置の動作例を示す図である。
【図６Ｂ】移動局装置の動作例を示す図である。
【図７】移動通信システムのチャネル構成を示す図である。
【図８】下りリンクの構成を示す図である。
【図９】下りリンクの構成を示す図である。
【図１０】間欠受信動作の一例を示す図である。
【図１１】上りリンクのチャネル構成を示す図である。
【図１２】Ｃｏｎｔｅｎｔｉｏｎ  ｂａｓｅｄ  Ｒａｎｄｏｍ  Ａｃｃｅｓｓの手順の一例を示す図である。
【図１３】無線リンクの異常（無線リンクの問題）を検出した場合の処理を示す図である。
【図１４】他基地局装置の無線リンクを測定する場合の移動局装置の動作例を示す図である。
【図１５】移動局装置の下りリンクの受信品質測定の動作を示す図である。
【符号の説明】
【００８２】
３０  移動局装置
３１  データ制御部
３２  ＤＦＴ−Ｓ−ＯＦＤＭ変調部
３３  スケジューリング部
３３ａ  ＵＬスケジューリング部
３３ｂ  制御データ解析部
３３ｃ  制御データ作成部
３３ｄ  下りリンク監視部
３３ｅ  ＤＲＸ制御部
３４  ＯＦＤＭ復調部
３５  チャネル推定部
３６  制御データ抽出部
３７  プリアンブル生成部
３８  無線部
５０  基地局装置
５１  データ制御部
５２  ＯＦＤＭ変調部
５３  スケジューリング部
５３ａ  ＤＬスケジューリング部
５３ｂ  ＵＬスケジューリング部
５３ｃ  制御データ作成部
５３ｄ  上りリンク制御チャネル管理部
５３ｅ  ＤＲＸ管理部
５４  チャネル推定部
５５  ＤＦＴ−Ｓ−ＯＦＤＭ復調部
５６  制御データ抽出部
５７  プリアンブル検出部
５８  無線部
【図１Ａ】
2010098581.tif 000005
【図１Ｂ】
2010098581.tif 000006
【図１Ｃ】
2010098581.tif 000007
【図２】
2010098581.tif 000008
【図３】
2010098581.tif 000009
【図４Ａ】
2010098581.tif 000010
【図４Ｂ】
2010098581.tif 000011
【図５】
2010098581.tif 000012
【図６Ａ】
2010098581.tif 000013
【図６Ｂ】
2010098581.tif 000014
【図７】
2010098581.tif 000015
【図８】
2010098581.tif 000016
【図９】
2010098581.tif 000017
【図１０】
2010098581.tif 000018
【図１１】
2010098581.tif 000019
【図１２】
2010098581.tif 000020
【図１３】
2010098581.tif 000021
【図１４】
2010098581.tif 000022
【図１５】
2010098581.tif 000023